(57)【特許請求の範囲】
【請求項１】
貯湯タンク（４６）内の温水を加熱するヒータ（５８）と、前記貯湯タンク（４６）の内部に配置され、タンク内の温水の温度を検出する温度センサ（５６）と、給水管（６０）に設けられ、前記温度センサ（５６）が予め設定された上限設定温度を検出したときに開放して給水管（６０）から水を貯湯タンク（４６）に補給すると共に、該水の補給によりタンク内の水温が低下して前記温度センサ（５６）が予め設定された下限設定温度を検出したときに閉成して給水管（６０）からの水の補給を中断する給水弁（６２）とを備え、前記給水弁（６２）が閉成された後に、前記ヒータ（５８）の加熱により水温が上昇して前記温度センサ（５６）が上限設定温度を検出することにより給水弁（６２）を開放して水の補給を再開するよう構成したことを特徴とする貯湯タンクの給水装置。
【請求項２】
前記貯湯タンク（４６）の内部に、タンク内に貯留される温水の水位が上限水位に達したことを検出する上限水位スイッチ（５４）が配設され、この上限水位スイッチ（５４）が上限水位を検出しているときには、前記温度センサ（５６）による給水弁（６２）の開閉制御を停止した状態で、該センサ（５６）が上限設定温度を検出したときに前記ヒータ（５８）をＯＦＦ作動すると共に上限設定温度を検出しなくなったときにヒータ（５８）をＯＮ作動するよう構成した請求項１記載の貯湯タンクの給水装置。
【請求項３】
前記給水弁（６２）が開放してから一定時間経過しても、前記温度センサ（５６）が下限設定温度を検出しない場合は、給水弁（６２）を閉成すると共に前記ヒータ（５８）をＯＦＦ作動させるようにした請求項１記載の貯湯タンクの給水装置。
【発明の詳細な説明】
【０００１】
【発明の属する技術分野】
この発明は、貯湯タンクの給水装置に関し、更に詳しくは、貯湯タンクに貯留されている温水の温度によって、タンク内に補給する水の量を制御するようにした貯湯タンクの給水装置に関するものである。
【０００２】
【従来の技術】
所要温度に加熱した温水を、例えば茶葉を入れた茶こし器に供給して、お茶を注出するようにした自動給茶機では、その内部に貯湯タンクを備え、該貯湯タンクに、外部水道系に連通した給水管を介して所定量の水を供給するようになっている。また、貯湯タンクの内部所要個所にヒータが配設されており、このヒータの連続通電によりタンク内の水を設定温度（例えば９０℃）まで加熱すると共に、設定温度に達した以後は該ヒータのＯＮ−ＯＦＦ制御により保温するよう設定される。
【０００３】
この種の装置は、例えばレストランや飲食店だけでなく、高速道路のサービスエリア等にも設置されており、不特定多数の利用者が適宜使用できるようになっている。このため前記貯湯タンク内には、常に充分な量の温水を貯留するよう構成されているが、例えば昼食時のように利用頻度が高くなる時間帯には、貯湯タンク内の貯留量が大幅に減少することになる。そして、貯留量が予め設定された給水水位まで低下すると、これを貯湯タンク内に配設した水位センサが検出し、前記給水管に設けた電磁弁を開放して外部水道系から水を補給するようになっている。また、水の補給により貯湯タンク内での貯留量が基準水位に達すると、これを検出して前記電磁弁を閉成して水の補給を停止する。なお、新たな水が補給されることにより、貯湯タンク内の水温（湯温）が低下するため、前記ヒータが連続通電されて温水を設定温度まで再加熱するようになっている。
【０００４】
前記自動給茶機では、貯湯タンク内の温水の貯留量が給水水位まで低下すると、前述した如く、基準水位に達するまで一度に多量の水が補給されることになる。このため貯湯タンク内の水温が急速に低下してしまい、ヒータによる再加熱によって設定温度まで上昇させるのに長い時間を要する。また、温水が設定温度に達する前に自動給茶機が使用されると、貯湯タンクからはぬるま湯が供給されると云った問題があった。
【０００５】
そこで、前記問題を解決するものとして、貯湯タンク内の温水の貯留量が給水水位まで減少した際には、基準水位まで複数回に分けて水の補給とヒータによる再加熱とを行なうようにした定温貯水装置が存在する。この定温貯水装置は、図１１および図１２に示すように、貯湯タンク７６の内部に、水位を検出するためのフロート７８が長尺なアーム８０の下端部に取付けられている。このアーム８０の他端部は、貯湯タンク７６の上部近傍に軸受８２を介して回動可能に支持されており、水位の変化に応じたフロート７８の上下動に応じてアーム８０が回動するよう構成されている。
【０００６】
前記軸受８２に挿通されて貯湯タンク７６の外方に延出したアーム８０の他端部には、水位を検出するためのセンサ７５を構成する扇形の遮光板８４が一体的に回動するよう取付けられている。この遮光板８４には、図１５に示す如く、４列の弧状領域に沿って複数の透孔８４ａが所定のパターンで形成されている。また遮光板８４が取付けられた位置に対応する貯湯タンク７６の側面には、フォトインタラプタホルダ８６が支持板８８を介して取付けられている。このフォトインタラプタホルダ８６は、図１３および図１４に示すように、前記遮光板８４の通過を許容するスリット８６ａが、該遮光板８４の回動軌跡に沿って所要幅で形成されると共に、該スリット８６ａを形成する対向面部に計４組の発光素子９０および受光素子９２が対になって配設されている。従って前記フロート７８の上下動に伴って遮光板８４が回動し、対をなす発光素子９０と受光素子９２との間に該遮光板８４の透孔８４ａが位置すると、遮光板８４の回動角度に応じた発光素子９０からの光が受光素子９２に入射するようになる。これにより、４個のうちの何れの受光素子９２に光が入射するかによって、１６通りのレベルの水位を判別することができるようになっている。そして、前記水位センサ７５が各レベルの水位を検出することにより、貯湯タンク７６に水を補給するための給水弁の開閉制御を行なうよう構成される。また貯湯タンク７６には、温水の温度を検出する温度センサが設けられ、該センサにより温水の加熱を行なうヒータのＯＮ−ＯＦＦ制御がなされるよう設定されている。
【０００７】
すなわち、前記定温貯水装置においては、貯湯タンク７６に貯留されている温水が使用されることにより水位が給水水位まで低下すると、これを前記水位センサ７５が検出する。水位センサ７５からの検出信号により、前記給水弁が開放されて外部水道系から水が貯湯タンク７６に補給される。そして、水の補給により水位が上昇し、前記遮光板８４がフロート７８の上昇に伴って回動することにより、水位センサ７５が給水水位から１段階上のレベルの水位を検出した時点で、給水弁を閉成して水の補給を中断する。また水の補給により水温が低下するので、これを温度センサが検出してヒータによる再加熱を行ない、水温が設定温度に達した時点で、ヒータによる再加熱を停止すると共に、給水弁を開放して再び水位レベルが１段階上昇するまで水を補給する。以上の工程を繰返すことにより、貯湯タンク７６内に温水が基準水位まで貯留されると、水の補給動作を停止する。
【０００８】
このように、前記定温貯水装置によれば、貯湯タンク７６内の水位が低下した場合には、給水水位から基準水位まで一度に多量の水を補給するのではなく、給水水位から基準水位までを複数のレベルに分割し、各レベルまで水を補給して給水を一旦中断し、この状態で補給によって温度が低下した温水を再び設定温度まで加熱し、しかる後に補給を再開するようになっている。これにより、補給を行なった後に温水を早期に設定温度まで上昇させることができるので、貯湯タンク７６に水を補給したことによって使用者にぬるま湯が供給されてしまう期間を大幅に短縮させ得るものである。
【０００９】
【発明が解決しようとする課題】
前記定温貯水装置では、扇形の遮光板８４に複数の透孔８４ａを所定のパターンで設け、前記フォトインタラプタホルダ８６に設置した発光素子９０の光が、各水位に対応させた透孔８４ａを通過して受光素子９２に入射することで水位を判別するようになっている。従って、大型の貯湯タンク７６を設置する際には、その貯湯容量が大きくなる分だけ該タンク７６内の水位を検出する分割レベルを増加させる必要がある。この場合は、前記透孔８４ａの形成パターンを複雑化しなければならないため、小型あるいは中型の貯湯タンク以上に多段階に水位レベルを分割させることが困難であった。また、構成が複雑となってコストが嵩む欠点も指摘される。
【００１０】
更に、貯湯タンクに一度に補給される水量は一定であるため、夏期と冬期とでの補給水の温度の変化によって、補給時における水温の変化にバラツキを生ずる問題があった。すなわち、夏期のように補給水の温度が高い場合には、設定温度に保持されている貯湯タンクの温水に新たに水を補給しても急激な温度低下を生じないため、短時間で設定温度に戻すことができる。しかし、冬期のように補給水の温度が低い場合に、夏期と同量の水を貯湯タンクに補給すると、タンク内の水温が著しく低下し、設定温度まで戻すのに時間が掛かってしまう。そこで、夏期と冬期とで分割レベルを可変して一度に補給する水の量を調整することが考えられるが、その調整が煩雑となる難点が指摘される。
【００１１】
【発明の目的】
この発明は、前述した従来技術に内在している前記欠点に鑑み、これを好適に解決するべく提案されたものであって、貯湯タンクに貯留されている温水の温度によって給水を制御することで、該タンク内の温水を常に設定温度の範囲内に保持しながら貯留量を増加させ得るようにした貯湯タンクの給水装置を提供することを目的とする。
【００１２】
【課題を解決するための手段】
前記課題を克服し、所期の目的を好適に達成するため本発明に係る貯湯タンクの給水装置は、貯湯タンク内の温水を加熱するヒータと、前記貯湯タンクの内部に配置され、タンク内の温水の温度を検出する温度センサと、給水管に設けられ、前記温度センサが予め設定された上限設定温度を検出したときに開放して給水管から水を貯湯タンクに補給すると共に、該水の補給によりタンク内の水温が低下して前記温度センサが予め設定された下限設定温度を検出したときに閉成して給水管からの水の補給を中断する給水弁とを備え、前記給水弁が閉成された後に、前記ヒータの加熱により水温が上昇して前記温度センサが上限設定温度を検出することにより給水弁を開放して水の補給を再開するよう構成したことを特徴とする。
【００１３】
【発明の実施の形態】
次に、本発明に係る貯湯タンクの給水装置につき、好適な実施例を挙げて、添付図面を参照しながら以下説明する。本発明に係る貯湯タンクの給水装置は、実施例に示す如く、ジュース等の冷却飲料とお茶やスープ等の加熱飲料とを選択して供給し得る構成の飲料供給装置に好適に使用される。なお、お茶やスープ等の加熱飲料のみを供給する装置にも本発明を採用することは可能である。
【００１４】
【実施例】
図１は、実施例に係る給水装置が採用される飲料供給装置の縦断正面図、図２は、飲料供給装置の縦断側面図である。図に示す飲料供給装置１０は、例えばステンレス等の板材を箱型に成形した上部本体１４と下部本体１６とから筐体１７が構成され、上部本体１４は、下部本体１６に載置固定されていて、その上半分に、断熱構造の収納庫１５が配設されている。この収納庫１５の内部に画成した収納室１５ａには、濃縮原料を貯留した複数（実施例においては３つ）の濃縮原料容器３８が本体１４の幅方向に沿って並列に収納されている（図１参照）。各濃縮原料容器３８の下部には、注出ポンプ４０を備えた注出機構３２および注出ノズル４２が接続されており、濃縮原料容器３８から注出機構３２を介して注出された所要量の濃縮原料が注出ノズル４２に供給されるようになっている。また収納庫１５の下部には、下部本体１６に配設されている後述するアイスバンク機構２１で冷却された冷水または貯湯タンク４６に貯留されている温水を注出ノズル４２に供給するポンプ７０が、各注出機構３２と対応して配設されている。なお、収納庫１５の前面に形成した開口部１５ｂを開閉自在に閉塞する断熱扉１９には、前記注出機構３２と対応する数（実施例では３つ）の注出ボタン４３が配設され、該ボタン４３を押すことによって、対応する注出機構３２の注出ポンプ４０および冷水または温水の供給用ポンプ７０が作動するよう構成されている。
【００１５】
図１に示す如く、前記下部本体１６の内部右側には、所定量の冷却水を貯留する貯水槽２４と、冷凍機構２２から導出した蒸発管２６の一部を貯水槽２４内の冷却水中に浸漬したアイスバンク機構２１が配設されている。貯水槽２４は、上方に開放する所要深さの有底ケース体であり、内部に貯留される冷却水の温度を一定に保つように断熱材で囲繞されると共に、その開放部は蓋２３により開閉自在に閉成されるようになっている。また貯水槽２４の下には、図２に示す如く、該貯水槽２４に貯留されている冷却水を冷却する冷凍機構２２を構成する凝縮器１８や圧縮機２０等が配設されている。前記蒸発管２６は、貯水槽２４の内壁近傍に沿って螺旋状に巻回されたものであって、その全体が冷却水に浸漬されている。そして、冷凍機構２２を循環する冷媒が蒸発管２６を通過する際に冷却水との間で熱交換がなされ、該冷却水の温度が次第に低下し、蒸発管２６の周囲に氷層が形成されるよう構成される。また蒸発管２６の外周に所要厚みで円筒状の氷層が形成された時点で、冷凍機構２２の運転を停止するよう制御される。すなわち、冷凍機構２２が停止した以後における貯水槽２４内の冷却水は、蒸発管２６の外周に形成された氷層を介して所要温度に冷却される。
【００１６】
また前記貯水槽２６の略中央部には、一端が外部水道源（図示せず）に接続された第１給水管２８の途中を螺旋状に巻回した冷却部２８ａが臨んでおり、該冷却部２８ａは貯水槽２４の蓋２３に設けられたサブタンク３０に連通している。すなわち、外部水道源より供給される水道水が第１給水管２８の冷却部２８ａを通過する際に、前記氷層により冷却されている貯水槽２４内の冷却水により冷却され、この冷水がサブタンク３０内に流入するようになっている。またサブタンク３０は、前記各ポンプ７０に冷水用パイプ３４を介して連通しており（図４参照）、該ポンプ７０を駆動することにより冷水が注出ノズル４２に供給されるよう構成してある。なお、サブタンク３０は、前記貯水槽２４に貯留されている冷却水に底部が接触し、該サブタンク３０内に供給された稀釈用の冷水の温度が上昇しないよう構成されている。
【００１７】
図１において下部本体１６の内部左側には、所要量の温水を貯留する貯湯タンク４６が配置されている。この貯湯タンク４６には、給水装置を構成する外部水道源に接続する第２給水管６０が連通し、該給水管６０に設けた電磁開閉式の給水弁６２を開放することにより、タンク４６内に所要量の水が供給されるようになっている。また貯湯タンク４６の内部には、図３に示すように、タンク底部近傍に下限水位検出用フロートスイッチ（以下  「下限水位スイッチ」という）５２が設置されると共に、該タンク４６の上端部近傍に上限水位検出用フロートスイッチ（以下  「上限水位スイッチ」という）５４が設置され、貯湯タンク内の温水の水位（貯留量）を両スイッチ５２，５４の間に保つよう構成される。更に、下限水位スイッチ５２の下方にヒータ５８が配設され、該ヒータ５８によって、貯湯タンク４６に貯留されている温水を設定温度（上限設定温度）まで加熱すると共に、該温度に保温するようになっている（図７参照）。なお、貯湯タンク４６の内部における第２給水管６０の口部より下方には、該第２給水管６０からタンク内に供給される水を受け、該水を広い範囲に亘って分散させる板状の分散板６４が配設されている。これにより、給水時においては貯湯タンク４６の温水と新たに供給される水とが効率的に混合される。
【００１８】
前記貯湯タンク４６内には、前記各ポンプ７０に接続された温水用パイプ６６の下端部が夫々挿入されており、該ポンプ７０を駆動することにより温水を注出ノズル４２に供給するよう構成されている。なお、前記冷水用パイプ３４と温水用パイプ６６とは、三方弁３６を介して各ポンプ７０に接続されており、該三方弁３６を切換えることにより、注出ノズル４２に冷水または温水の何れかを選択して供給するようになっている。
【００１９】
前記貯湯タンク４６の内部に、予め設定されている上限設定温度と下限設定温度とを検出する温度センサ５６が配設され、該センサ５６の検出温度によって、前記給水弁６２の開閉制御およびヒータ５８のＯＮ−ＯＦＦ制御を行なうよう設定されている。すなわち、前記上限水位スイッチ５４が上限水位を検出する量の温水が貯湯タンク４６内に貯留されている場合は、温度センサ５６が上限設定温度を検出した時点でヒータ５８をＯＦＦ作動すると共に、該温度センサ５６が上限設定温度を検出しなくなった時点でヒータ５８をＯＮ作動して、水温を上限設定温度に保持する。また貯湯タンク４６内の温水が使用され、上限水位スイッチ５４の検出水位よりも水位が低下した場合は、前記給水弁６２を開放して水を補給する。そして、新たな水の補給により水温が低下し、温度センサ５６が下限設定温度を検出した時点で、給水弁６２を閉成して水の補給を中断するよう設定される。なお、上限水位スイッチ５４が水位を検出していない状態では、前記ヒータ５８は常にＯＮ状態となるよう制御され、水の補給により温度低下した温水はヒータ５８により再加熱されるようになっている。
【００２０】
なお実施例では、断水や温度センサ５６の故障等の事態に対応するため、給水弁６２が開放してから一定時間経過（タイマ等により計時）しても温度センサ５６が下限設定温度を検出しない場合は、給水弁６２を閉成すると共にヒータ５８をＯＦＦ作動させるよう設定される（図７参照）。これにより、異常事態の発生に際して温水が必要以上に加熱されるのを防止することができる。また前記給水弁６２は、図６に示すように、給水水圧が変動しても常に一定量の水を貯湯タンク４６に供給し得る、流量調整弁を内蔵したものが好適に使用される。なお、第２給水管６０に流量調整弁を別途設けることも可能である。
【００２１】
前記冷水用パイプ３４および温水用パイプ６６が三方弁３６を介して連通する前記ポンプ７０は、容積式の自吸ポンプであって、内部に配設した弁体（図示せず）を駆動することにより負圧を形成して冷水または温水を吸引するよう構成される。ポンプ７０の吐出側には、図４に示す如く、前記注出ノズル４２に連通する供給管６８が接続され、該供給管６８に流量調節弁７２と逆止弁７４とが介挿されている。なお、モータ７０は、図に示すように、各注出機構３２と対応して夫々に設けられているので、注出能力の小さい低コストのものを使用することができ、しかも１系統が故障した場合は、残りの系統で対応することが可能である。またポンプ７０が自吸式であるため、注出量が安定すると共に、殊に温水供給系路内の漏れ等があった場合にも、温水の飛散が殆どないことから、機内における損傷を防止し得るものである。またポンプ７０によって自吸される冷水または温水の注出量は安定しているので、前記流量調節弁７２による大きな調整を必要とせず、しかも前記逆止弁７４によって逆流は防止される。
【００２２】
【実施例の作用】
次に、実施例に係る貯湯タンクの給水装置の作用につき、図７のフローチャートおよび図８のタイミングチャートを参照しながら説明する。すなわち、飲料供給装置１０のメインスイッチ（図示せず）が投入された時点で、図７のフローチャートに示す如く、ステップ１００（以後「ステップ」を「Ｓ」と称す）でスタートし、Ｓ１０１で前記給水弁６２を開放して貯湯タンク４６に水を供給する。Ｓ１０２では、前記下限水位スイッチ５２が下限水位を検出（ＯＮ）しているか否かを確認し、肯定（ＹＥＳ）であればＳ１０３に進んで、給水弁６２が開放してから一定時間経過したか否かを確認する。そして、Ｓ１０３が肯定（ＹＥＳ）であればステップ１０４に進み、給水弁６２を閉成して貯湯タンク４６への給水を停止する。なお、Ｓ１０２で否定（ＮＯ）であれば、Ｓ１０１に戻るシーケンスを繰返し、Ｓ１０３で否定（ＮＯ）であれば、再度Ｓ１０３での確認を繰返す。
【００２３】
次に、Ｓ１０５で貯湯タンク４６に貯留されている水または温水の温度が上限設定温度に達しているか否かを確認し、前記温度センサ５６が上限設定温度を検出していない場合は、該Ｓ１０５が否定（ＮＯ）され、Ｓ１０６でヒータ５８をＯＮ作動させる。ヒータ５８のＯＮ作動により貯湯タンク４６内の水温が上昇し、温度センサ５６が上限設定温度を検出すると、Ｓ１０５が肯定（ＹＥＳ）されて、Ｓ１０７に移行する。Ｓ１０７では、前記上限水位スイッチ５４が上限水位を検出（ＯＮ）したか否かを確認し、否定（ＮＯ）であればＳ１０８に進んで下限水位スイッチ５２がＯＮであるか否かを確認する。すなわち、貯湯タンク４６に貯留されている温水の水位が下限水位近傍である場合に、該タンク４６から注出ノズル４２に温水が供給されて加熱飲料が注出された場合は、該タンク内の水位が下限水位よりも低下することがあるので、このときにはＳ１０８が否定（ＮＯ）され、Ｓ１１４でヒータ５８をＯＦＦ作動した後にＳ１０１に戻る。
【００２４】
前記Ｓ１０８が肯定（ＹＥＳ）された場合は、Ｓ１０９に進んで再び給水弁６２を開放して貯湯タンク４６に水を補給する。この給水により貯湯タンク４６内の水温が低下するので、Ｓ１１０で温度センサ５６が下限設定温度を検出したか否かを確認し、否定（ＮＯ）であればＳ１１１で給水弁６２が開放してから一定時間経過したか否かを確認する。そして、Ｓ１１１で否定（ＮＯ）であればＳ１１０に戻り、該Ｓ１１０が肯定（ＹＥＳ）された時点で、Ｓ１１２に進んで給水弁６２を閉成した後に、Ｓ１０５に戻る。なお、温度センサ５６が下限設定温度を検出する前に、一定時間が経過してＳ１１１が肯定（ＹＥＳ）された場合は、温度センサ５６の故障や断水等の異常が発生したものと判断し、Ｓ１１５で給水弁６２を閉成すると共に、Ｓ１１６でヒータ５８をＯＦＦ作動させる。
【００２５】
前記Ｓ１１２で給水弁６２を閉成した時点では、新たな水の補給により水温は下限設定温度となっているので、Ｓ１０５では否定（ＮＯ）され、Ｓ１０６でヒータ５８をＯＮ作動（正常でればヒータ５８はＯＮ状態となっている）し、貯湯タンク４６内の温水を加熱する。そして、Ｓ１０５が肯定（ＹＥＳ）されると、Ｓ１０７で上限水位スイッチ５４がＯＮであるか否かを確認し、否定（ＮＯ）であれば、Ｓ１０８に進んで前述したシーケンスを繰返す。すなわち、貯湯タンク４６内に上限水位まで温水が貯留されるまでは、図５に示すように、上限設定温度と下限設定温度との間に水温が維持された状態で、徐々に水の補給が行なわれる。そして、貯湯タンク４６内に上限水位まで温水が貯留されると、Ｓ１０７で肯定（ＹＥＳ）され、Ｓ１１３に進んでヒータ５８をＯＦＦ作動した後、Ｓ１０５に戻る。すなわち、温水が上限水位にある場合は、Ｓ１０５，Ｓ１０６，Ｓ１０７，Ｓ１１３を繰返すことにより、温度センサ５６によるヒータ５８のＯＮ−ＯＦＦ制御がなされ、これにより貯湯タンク４６内の水温を上限設定温度に保持する運転が行なわれる。
【００２６】
また、飲料供給装置１０により加熱飲料が注出されることにより、貯湯タンク４６内の温水が使用されて減少し、その水位が上限水位より低下すると、上限水スイッチ５２が上限水位を検出しなくなるので、このときには、前述した温度センサ５６により給水弁６２の開閉制御が行なわれる。そして再び貯湯タンク４６の水位が上限水位に達すると、ヒータ５８が温度センサ５６によりＯＮ−ＯＦＦ制御される。
【００２７】
このように、貯湯タンク４６内の温水が下限水位から上限水位まで貯留される間は、上限設定温度の温水が新たな水の補給により下限設定温度まで低下したときに給水を停止するので、補給水の温度の高低に拘らず、タンク内の水温が下限設定温度から著しく低下するのを防止し、上限設定温度まで短時間で再加熱することができる。すなわち、例えば冬期のように第２給水管６０から供給される水の温度が低い場合であっても、新たな水の補給により水温が下限設定温度まで低下した時点で給水を停止するので、タンク内の水温が下限設定温度から著しく低下するのを防止し得る。また、夏期のように第２給水管６０から供給される水の温度が高い場合は、貯湯タンク４６に一度に多量の水を補給することが可能で、上限水位まで貯留するのに要する時間を短縮することができる。
【００２８】
【別実施例について】
図９は、本発明の別実施例に係る貯湯タンクの給水装置を示すものであって、基本的な構成は前述した実施例と同一であるので、異なる部分についてのみ説明する。すなわち、別実施例では貯湯タンク４６の内部に、前記下限水位スイッチ５２と上限水位スイッチ５４との間の所要位置に中間水位スイッチ５３が配設されている。この中間水位スイッチ５３は、空の貯湯タンク４６に水を供給する際にその水位（中間水位）を検出して、前記給水弁６２を閉成して水の供給を一旦停止するべく機能する。これにより最初に水が多量に供給されることにより、該水を上限設定温度まで加熱するのに時間が掛かるのを防止するようにしている。
【００２９】
【別実施例の作用について】
次に、別実施例に係る貯湯タンクの給水装置の作用につき、図１０のフローチャートを参照して、前述した実施例と異なる部分についてのみ説明する。なお、図１０のフローチャートにおいては、図７のフローチャートと異なるステップにのみ異なる符号を付してある。すなわち、図１０のＳ１００でスタートし、Ｓ１０１で前記給水弁６２を開放して貯湯タンク４６に水を供給する。Ｓ１０２では、前記下限水位スイッチ５２が下限水位を検出（ＯＮ）しているか否かを確認し、肯定（ＹＥＳ）であればＳ２００に進んで、前記中間水位スイッチ５３が中間水位を検出（ＯＮ）したか否かを確認する。そして、Ｓ２００が肯定（ＹＥＳ）されるとステップ１０４に進み、給水弁６２を閉成して貯湯タンク４６への給水を停止する。なお、Ｓ２００が否定（ＮＯ）されると、再度Ｓ２００での確認を繰返す。
【００３０】
次に、Ｓ１０５で貯湯タンク４６に貯留されている水または温水の温度が上限設定温度に達しているか否かを確認し、前記温度センサ５６が上限設定温度を検出していない場合は、該Ｓ１０５が否定（ＮＯ）され、Ｓ１０６でヒータ５８をＯＮ作動させる。ヒータ５８のＯＮ作動により貯湯タンク４６内の水温が上昇し、温度センサ５６が上限設定温度を検出すると、Ｓ１０５が肯定（ＹＥＳ）されて、Ｓ１０７に移行する。このとき、貯温タンク４６には中間水位スイッチ５３の配設位置までしか水は貯留されていないから、ヒータ５８による加熱時間は短かくて済む。そして、以後は、前述した実施例と同様に作動する。
【００３１】
【発明の効果】
以上説明した如く、本発明に係る貯湯タンクの給水装置によれば、貯湯タンクに供給する水を、該タンク内に貯留されている温水の温度によって制御するので、供給される水の温度によって、貯留されている温水の温度が著しく変化するのを防止し得る。すなわち、冬期のように供給する水の温度が低い場合であっても、水の供給により貯湯タンク内の温水の温度が著しく低下することはなく、上限設定温度まで短時間で再加熱することができる。これにより、貯湯タンクからぬるま湯が供給されるのを防止することが可能となる。また、夏期のように供給される水の温度が高い場合は、貯湯タンクに一度に供給する水の量が多くなるので、上限水位まで短時間で貯留し得る利点も有する。しかも構造は極めて簡単であるので、コストを低減し得る。また、貯湯タンクの大きさによって構造が複雑になることもなく、常に一定の給水制御を行なうことができる。更に、貯湯タンクに配設した上限水位スイッチが上限水位を検出しているときには、温度センサによりヒータをＯＮ−ＯＦＦ制御することにより、タンク内の温水の温度を常に一定に保ち得る。更にまた、給水弁が開放してから一定時間経過しても温度センサが下限設定温度を検出しない場合は、給水弁を閉成すると共にヒータをＯＦＦ作動させるよう設定したから、温水が必要以上に加熱されるのを防止することが可能となる。
【図面の簡単な説明】
【図１】本発明の実施例に係る給水装置を配設した飲料供給装置を示す縦断正面図である。
【図２】飲料供給装置を示す縦断側面図である。
【図３】飲料供給装置を示す縦断側面図である。
【図４】飲料供給装置の配管経路を概略的に示す説明図である。
【図５】貯湯タンクへの水の補給時における水温と時間との関係を示すグラフ図である。
【図６】給水装置における給水弁の給水水圧と注出量との関係を示すグラフ図である。
【図７】給水装置による給水時のフローチャート図である。
【図８】給水装置による給水時のタイミングチャート図である。
【図９】別実施例に係る給水装置を配設した飲料供給装置を示す縦断側面である。
【図１０】別実施例に係る給水装置による給水時のフローチャート図である。
【図１１】従来技術に係る定温貯水装置の貯湯タンクを示す一部切欠正面図である。
【図１２】従来技術に係る定温貯水装置の貯湯タンクを示す側面図である。
【図１３】従来技術に係る定温貯水装置に配設されるフォトインタラプタホルダの正面図である。
【図１４】図１３のＡ−Ａ線断面図である。
【図１５】従来技術に係る定温貯水装置に配設される遮光板の正面図である。
【符号の説明】
４６  貯湯タンク，５４  上限水位スイッチ，５６  温度センサ
５８  ヒータ，６０  第２給水管，６２  給水弁
【図１】
0003601012.tif 000002
【図２】
0003601012.tif 000003
【図３】
0003601012.tif 000004
【図４】
0003601012.tif 000005
【図５】
0003601012.tif 000006
【図６】
0003601012.tif 000007
【図７】
0003601012.tif 000008
【図８】
0003601012.tif 000009
【図９】
0003601012.tif 000010
【図１０】
0003601012.tif 000011
【図１１】
0003601012.tif 000012
【図１２】
0003601012.tif 000013
【図１３】
0003601012.tif 000014
【図１４】
0003601012.tif 000015
【図１５】
0003601012.tif 000016